(57)【要約】  【課題】高い放熱性を有するＣＯＦ用配線基板を提供する。  【解決手段】絶縁フィルム１の片側の面に、搭載される半導体素子７の表面に設けられた電極パッドと接合するためのインナーリード１１と、ＣＯＦを搭載する外部基板の端子と接合するためのアウターリード１２とを有する配線１３が設けられたＣＯＦ用配線基板の、半導体チップ７が搭載される予定の領域１４内で、インナーリード１１が存在しない部分に、放熱板１５が配置されている。【選択図】図１
2008205142.tif 000002
【特許請求の範囲】
【請求項１】
絶縁フィルムの片側の面に、搭載される半導体素子表面に設けられた電極パッドと接合するためのインナーリードと、ＣＯＦを搭載する外部基板の端子と接合するためのアウターリードとを有する配線が設けられたＣＯＦ用配線基板において、前記半導体チップが搭載される予定の領域内で、インナーリードが存在しない部分に放熱板Ａを配置したことを特徴とするＣＯＦ用配線基板。
【請求項２】
前記半導体チップが搭載される予定の領域外の領域で配線が存在しない領域に放熱板Ｂを設け、放熱板Ｂと前記放熱板Aとが連結されている請求項１記載のＣＯＦ用配線基板。
【請求項３】
前記放熱板Ａと前記放熱板Ｂとが、前記配線と同じ材料で構成されている請求項１または２記載のＣＯＦ用配線基板。
【請求項４】
絶縁フィルムの片側の面に、搭載される半導体素子表面に設けられた電極パッドと接合するためのインナーリードと、ＣＯＦを搭載する外部基板の端子と接合するためのアウターリードとを有する配線が設けられたＣＯＦ用配線基板において、前記半導体チップが搭載される予定の領域内で、インナーリードが存在しない部分に放熱板Ａが配置されていることを特徴とするＣＯＦ用配線基板を製造するに際し、前記、放熱板Ａ、並びにインナーリードとアウターリードとを含む配線とをサブトラクティブ法、アディティブ法、セミアディティブ法の内の何れか一つにより一括して形成することを特徴とするＣＯＦ用配線基板の製造方法。
【請求項５】
絶縁フィルムの片側の面に、搭載される半導体素子表面に設けられた電極パッドと接合するためのインナーリードと、ＣＯＦを搭載する外部基板の端子と接合するためのアウターリードとを有する配線が設けられたＣＯＦ用配線基板において、前記半導体チップが搭載される予定の領域内で、インナーリードが存在しない部分に放熱板Ａが配置されていることを特徴とするＣＯＦ用配線基板を製造するに際し、前記、放熱板Ａ及び放熱板Ｂ、並びにインナーリードとアウターリードとを含む配線とをサブトラクティブ法、アディティブ法、セミアディティブ法の内の何れか一つにより一括して形成することを特徴とするＣＯＦ用配線基板の製造方法。
【請求項６】
請求項１乃至３の何れかに記載のＣＯＦ用配線基板を用いて作成された半導体装置。
【発明の詳細な説明】
【技術分野】
【０００１】
本発明は、各種電気機器に使用する半導体パッケージ用配線基板に関し、特に薄型ディスプレイなどに使用されるＣＯＦに使用される配線基板及びその製造方法に関する。
【背景技術】
【０００２】
近年、電子機器の小型化、軽量化、高機能化はめざましく、半導体素子の実装方法にもより高密度の実装が可能な方法の提案がされ、一部が実施されている。こうした実装方法の一つにＣＯＦ（Chip on Film）があり、主として液晶ディスプレイのドライバ半導体パッケージとして用いられている。
【０００３】
ＣＯＦとは、半導体素子をフィルムキャリアテープ上に直接搭載するものであり、用いるフィルムキャリアテープをＣＯＦ用配線基板という。このＣＯＦ用配線基板は、ポリイミドフィルム等の絶縁フィルムの片面に金属配線が形成された薄型フィルム基板である。ＣＯＦ用配線基板の主な構成は半導体素子が搭載されるエリアと、半導体素子の電極パッドと接合するためのインナーリードと、外部と接続するためのアウターリードとを有する配線等で構成されている。
【０００４】
従来のＣＯＦ用配線基板の配線パターンを図５に例示した。このような配線パターンを有するＣＯＦ用配線基板は、例えば図６に示す方法で製造される。
先ず、図６（a）に示すように、ポリイミドフィルム１と銅箔２とからなる基材の銅箔２の表面にフォトレジスト層３を形成する。
次に、形成されたフォトレジスト層３にマスク（図示せず）を介して紫外線を照射し所望のパターンに感光させる（図６（b））。
次に、フォトレジスト層を現像し、フォトレジストパターン４を形成する（図６（c））。
次に、フォトレジストパターン４の開口部に露出する銅箔をエッチングして、銅配線パターン５を形成し、その後フォトレジストパターンを除去する（図６（d））。
次に、銅配線パターン５の表面に、半導体素子の電極パッドと接合するためのＳｎ、Ａｕ等のめっき層６を形成する（図６（e））。
最後に、インナーリードとアウターリードを露出させて所望の保護レジスト膜を形成する（図示せず）。
【０００５】
このようにして製造されたＣＯＦ用配線基板に半導体素子７を搭載するには、半導体素子７の電極パッドに形成されたバンプ８とＣＯＦ用配線基板のインナーリード９とを接合することにより行い、その後、樹脂封止１０して図７に示すような半導体装置を得る。
【０００６】
ＣＯＦに限らず、半導体装置では、半導体素子の作動により多量の熱が発生する。この熱は、一部が半導体素子の裏面（電極パットがある面を表面としている）から周囲環境へ放出され、一部が半導体素子と接合されているインナーリードを伝って半導体装置を搭載しているプリント配線板等へ伝熱されて、プリント配線板より周囲環境へ放熱され、更に、残部が半導体素子の表面から封止樹脂と絶縁フィルムとを介して周囲環境へ放熱される。この放熱が不十分な場合、蓄積された熱により半導体素子が動作不良を起こす。従って、半導体素子が発生する熱を如何に効率よく放熱させるかは半導体装置にとっては重要な問題となる。
【発明の開示】
【発明が解決しようとする課題】
【０００７】
従来のＣＯＦ用配線基板は、半導体素子の表面が封止樹脂とポリイミドフィルムという金属に比べて熱伝導率の低い材質で覆われた構造を採っており、半導体素子表面からの放熱効率は一般に低いものとなっている。また、半導体素子の作動により発生した熱は発生点より平面的に分散しにくく、局所的に温度が高くなりやすいといった問題がある。
【０００８】
特に近年のディスプレイの大型化、高解像度化によって、半導体素子の駆動電圧ならびに動作周波数は高くなり、これによって半導体素子の発熱量は大きく増加してきている。加えて、ＣＯＦ用配線基板の配線の微細化要求によって、インナーリードの幅は、例えば１５μｍと細くなり、インナーリードを経由する放熱の効率は低下してきている。これらのことから、半導体装置の放熱対策がより深刻な問題となってきている。
【０００９】
従来、このような半導体装置の放熱効率を構造的に改善すべく提案されたものとして、絶縁フィルムと、この絶縁フィルムの一方の面上に配置された配線と、上記絶縁フィルムの上記一方の面に対向するように配置された一つまたは複数の半導体素子と、上記絶縁体フィルムの他方の面上に配置された放熱部材とを備えた半導体装置がある（特許文献１  段落００２１参照）。即ち、特許文献１が提案するＣＯＦは、ポリイミドフィルムを介在して半導体チップの電極パッド側に放熱板を配設することで、当該ポリイミドフィルムを介した放熱性を改善させるものである。
【００１０】
この構造は半導体素子よりも大きな放熱板を設置することができ、より大きな放熱板を用いることでより良好な放熱性を得やすいという利点がある。しかしながら、放熱板を配置させることによりＣＯＦの厚みと重量とが増加してしまい、ＣＯＦの小型化、軽量化の流れに逆行するものとなっている。さらには、ＣＯＦ用配線基板の製造工程で、新たに放熱板を配設する工程を付加しなければならず、コストアップの要因となっている。
【特許文献１】特開２００６−１０８３５６号公報
【００１１】
本発明は、ＣＯＦに求められる小型化、軽量化の要求を満たし、且つ、前記放熱板の配設のような新たな工程の付加を必要とせずに、高い放熱性を有するＣＯＦ用配線基板とその製造方法の提供と、本発明のＣＯＦ用配線基板を用いたＣＯＦの提供を目的とする。
【課題を解決するための手段】
【００１２】
上記目的を達成するため、本第１の発明は、絶縁フィルムの片側の面に、搭載される半導体素子表面に設けられた電極パッドと接合するためのインナーリードと、ＣＯＦを搭載する外部基板の端子と接合するためのアウターリードとを有する配線が設けられたＣＯＦ用配線基板において、前記半導体チップが搭載される予定の領域内で、インナーリードが存在しない部分に放熱板Ａが配置されていることを特徴とする。
【００１３】
そして、本第２の発明は、前記第１の発明に加えて前記半導体チップが搭載される予定の領域外の領域で配線が存在しない部分に放熱板Ｂを設け、この放熱板Ｂと前記放熱板Ａとを連結したことを特徴とする。
【００１４】
そして、本第３の発明は、前記放熱板Ａと前記放熱板Ｂとが、前記配線と同じ材料で構成されていることを特徴とする。
【００１５】
そして、本第４の発明は、前記第１の発明によるＣＯＦ用配線基板の製造方法であり、前記、放熱板Ａ、並びにインナーリードとアウターリードとを含む配線とをサブトラクティブ法、アディティブ法、セミアディティブ法の内の何れか一つにより一括して形成することを特徴とする。
【００１６】
そして、本第５の発明は、前記第２または３の発明によるＣＯＦ用配線基板の製造方法であり、前記、放熱板Ａ及び放熱板Ｂ、並びにインナーリードとアウターリードとを含む配線とをサブトラクティブ法、アディティブ法、セミアディティブ法の内の何れか一つにより一括して形成することを特徴とする。
【００１７】
そして、本第６の発明は、前記第１乃至３の何れかの発明によるＣＯＦ用配線基板を用いて作成された半導体装置である。
【発明の効果】
【００１８】
上記したように本発明のＣＯＦ用配線基板では、ＣＯＦ用配線基板の半導体素子が搭載される予定の領域内で、インナーリードが存在しない部分に放熱板Ａを形成し、要すれば、半導体チップが搭載される予定の領域外で配線が存在しない領域に放熱板Ａと連結する形で放熱板Ｂを形成する。この際に、放熱板Ａと放熱板Ｂとは、インナーリードやアウターリード、そしてこれらを有する配線と同一平面上に形成される。これにより半導体素子が発する熱をインナーリードのみでなく放熱板Ａ、Ｂにも分散させ、もって放熱効果が高められる。従って、本発明のＣＯＦ用配線基板は従来のものより放熱効果が高く、本発明のＣＯＦ用配線基板を用いれば放熱効果の高いＣＯＦを得ることができる。
【００１９】
また、本発明の方法によれば、放熱板Ａ並びに放熱板Ｂと、インナーリードとアウターリードとを有する配線とを、用いるマスクを変更することによりサブトラクティブ法、アディティブ法、セミアディティブ法の内の何れか一つにより一括して形成できる。このために、従来のＣＯＦ用配線基板製造工程に新たな工程や部材を追加したり、工程を変更したりする必要がない。従って、従来と同程度の製造コストで済み、経済性を損なうことなく、放熱性の良いＣＯＦ用配線基板を提供できる。
【発明を実施するための最良の形態】
【００２０】
本発明の第一の実施形態によるＣＯＦ用配線基板の配線部のパターンを図１に、ＣＯＦ用配線基板を用いて作成された半導体装置の、図１のＡ−Ａに相当する位置での半導体素子７を搭載した状態の拡大断面図を図２に例示した。
図１において、１１はインナーリード、１２はアウターリード、１３はインナーリード１１とアウターリード１２を有する配線、破線で囲まれた部分１４は半導体素子が搭載される予定の領域、１５は領域１４の中央部（インナーリード１１が配置されていない部分）に設けられた放熱板Ａである。そして、前記したように、放熱板１５はインナーリード１１とアウターリード１２を有する配線１３と同一平面上に構成されているため、半導体素子の作動に伴い発生した熱はインナーリード１１のみではなく、放熱板１５にも伝わり、放熱板１５からも放熱される。
【００２１】
図３に本発明による第二の実施形態によるＣＯＦ用配線基板の配線部のパターンを例示した。本例では、図１に示した例に加えて、半導体素子が搭載される予定の領域１４以外の領域で配線１３が配設されていない部分に放熱板１６（B）が設けられている。そして、放熱板１５と放熱板１６とは連結されており、放熱板１５に伝達された熱の一部は放熱板１６に伝達され、放熱板１６からも放熱される。従って放熱効果が更に高められる。
【００２２】
次に、本発明のＣＯＦ用配線基板の製造方法について図４を用いて説明する。
図４は、ＣＯＦ用配線基板の製造工程を理解しやすくするために、主要工程で得られるものの断面を例示したものである。
まず図４（a）に示すようにポリイミドフィルム１と銅箔２からなる基材の銅箔２の表面にフォトレジスト層３を形成する。
次に、形成されたフォトレジスト層３にマスクを介して紫外線を照射し所望のパターンに感光させる（図４（b））。このとき使用するマスクのパターンとしては、製品配線パターンに、半導体素子が搭載される領域１４内であり且つインナーリード１１が存在しない領域に設けられる放熱板１５が組み込まれたものを用いる。
次に、従来のＣＯＦ用配線基板の製造方法と同様にフォトレジスト層３を現像し、フォトレジストパターン４を形成する（図４（c））。
次に、フォトレジストパターン４の開口部に露出する銅箔をエッチングして、銅配線パターン５を形成し、その後フォトレジストパターン４を除去する（図４（d））。
次に、銅配線パターン５の表面に、半導体素子の電極パッドと接合するためのＳｎ、Ａｕ等のめっき層６を形成する（図４（e））。
そして最後にインナーリード１１とアウターリード１２を露出させて所望の保護レジスト膜を形成する（図示せず）。
【００２３】
図４及び図５と前記した従来技術である図６とを比較すれば、用いるマスクのパターンを変えること以外、大きな変更を加えることなく、従来技術で本発明のＣＯＦ用配線基板を得ることが可能であるいうことがわかる。また、新たな部材を必要としないこともわかる。
なお、上記の例は、サブトラクティブ法により本発明のＣＯＦ用配線基板を製造するものであるが、公知のアディティブ法やセミアディティブ法でも同様に製造できることはいうまでもない。
【実施例】
【００２４】
厚さ３５μｍのポリイミドフィルムの片面に、厚さ８μｍの銅箔が設けられた市販の銅ポリイミド基板（住友金属鉱山株式会社製  製品名S'perflex）の銅箔表面に液状レジストを塗布し、図１に示した配線１３と放熱板１５を形成するためのパターンを有するマスクを介して紫外線照射した。
次に、これを現像し、エッチング用のフォトレジストパターンを得た。
次に、塩化第２銅を主成分とするエッチング液を用いてフォトレジストパターンの開口部に露出している銅箔をエッチング除去し、次いで残存するフォトレジストパターンを除去してポリイミドフィルム表面に配線１３と放熱板１５とを作成した。
次に、スズめっき液を用いてインナーリード等にスズめっきを施して、図１に示したパターンを有するＣＯＦ用配線基板を得た。なお、上記各工程において適用した温度条件、時間条件等は一般的なものであった。
次に、インナーリード部、アウターリード部等のめっきが必要となる部分のみが開口部として得られるようにソルダーレジスト（日立化成株式会社製  SN-9000）を塗布し、120℃、90minの条件でソルダーレジストを熱硬化させた。
次に、得られたＣＯＦ用配線基板のインナーリードに半導体素子の電極に設けられたバンプが接合するように配置して、加熱圧着し、樹脂封止して図２に示された如き構成の半導体装置を作成した。この半導体装置の作動状態をチェックしたが異常はなかった。  
【比較例】
【００２５】
次に、配線部が図１の配線パターンと同一で放熱板１５のためのパターンのみが無いマスクを用いた以外は上記実施例と同様の方法で作成したＣＯＦ用配線基板を得た。
そして、得られたＣＯＦ用配線基板のインナーリードに半導体素子の電極に設けられたバンプが接合するように配置し、加熱圧着し、樹脂封止して図２にその主要部が示される構成の半導体装置を作成した。この半導体装置の作動状態をチェックしたが異常はなかった。
【００２６】
次に上記実施例の半導体装置と比較例の半導体装置とを、それぞれ同じプリント配線板に搭載し、それぞれに同じ負荷をかけて半導体装置の表面温度を比較した。その結果、実施例の半導体装置の温度は１００℃、比較例の半導体装置の温度は１２０℃であり、本発明によるＣＯＦ用配線基板を使用すれば、約２０℃の半導体装置の温度上昇を防ぐことができるということが分かった。
【図面の簡単な説明】
【００２７】
【図１】本発明の第一の実施形態によるＣＯＦ用配線基板の配線部のパターンを示す平面図である。
【図２】図１のＡ−Ａ線に相当する位置での半導体素子を搭載した状態の拡大断面図である。
【図３】本発明の第二の実施形態によるＣＯＦ用配線基板の配線部のパターンを示す平面図である。
【図４】本発明に係るＣＯＦ用配線基板の製造工程の主要工程部分を示す断面図である。
【図５】従来のＣＯＦ用配線基板の配線パターンを例示した平面図である。
【図６】図５に示す従来のＣＯＦ用配線基板の製造工程の主要工程部分を示す断面図である。
【図７】従来のＣＯＦ用配線基板に半導体素子を搭載した状態の拡大断面図である。
【符号の説明】
【００２８】
１                  ポリイミドフィルム
２                  銅箔
３                  フォトレジスト層
４                  フォトレジストパターン
５                  銅配線パターン
６                  めっき層
７                  半導体素子
８                  バンプ
９、１１            インナーリード
１０                樹脂封止
１２                アウターリード
１３                配線
１４                半導体素子が搭載される予定の領域
１５                放熱板A
１６                放熱板B
【図１】
2008205142.tif 000003
【図２】
2008205142.tif 000004
【図３】
2008205142.tif 000005
【図４】
2008205142.tif 000006
【図５】
2008205142.tif 000007
【図６】
2008205142.tif 000008
【図７】
2008205142.tif 000009